(57)【要約】【課題】光路開口を開閉する複数の絞り羽根を駆動リングで開閉する際に羽根とリングとの摺動摩擦を小さくすると共に、羽根が反り返り変形することなく円滑な開閉運動が得られる光量調整装置を提供する。【解決手段】光路開口を有する第１第２の基板１１、４１間に複数の絞り羽根２１と、これを開閉する駆動リング３１を開閉動可能に支持し、リング形状の駆動リングに羽根の開閉軌跡内に凹陥する切欠き部３５と、その切欠き端面に形成した受動歯形部３５ｇとを設け、この受動歯形部と駆動装置の駆動歯車５３とを噛合する。このとき駆動リングの切欠き部と羽根との間に切欠き部の羽根をバックアップ支持するガイド部材（第２摺動リング３６、カバー部材３９）を設ける。【選択図】図６
2012112999.tif 000002
【特許請求の範囲】
【請求項１】
光路開口を有する一対の第１第２の基板と、
前記第１の基板に配置され前記光路開口の通過光量を調節する複数の絞り羽根と、
前記第２の基板に所定の回転角度で回動自在に配置され前記複数の絞り羽根を開閉するリング形状の駆動リングと、
前記駆動リングを回転駆動する駆動手段と、
を備え、
前記一対の基板と絞り羽根と駆動リングとは、略中央に光路開口を形成して第１の基板、絞り羽根、駆動リング、第２の基板の順に積層状に重ね合わせられ、
前記駆動手段は、前記第２の基板に取付けられ、
駆動回転軸と、
この駆動回転軸の回転を前記駆動リングに伝達する駆動歯車と、
で構成され、
前記駆動リングには、
前記絞り羽根の開閉軌跡内に凹陥する切欠き部と、
この切欠き部の端面に形成され前記駆動歯車と噛合する受動歯形部と、
が設けられ、
前記駆動リングの切欠き部と前記絞り羽根との間には、切欠き部に羽根の没入を阻止するように羽根をバックアップ支持するガイド部材が設けられていることを特徴とする光量調整装置。
【請求項２】
前記ガイド部材は、前記複数の絞り羽根と前記駆動リングとの間に介在するリング状のプレート部材であることを特徴とする請求項１に記載の光量調整装置。
【請求項３】
前記ガイド部材は、合成樹脂シートを型抜き成型して形成されていると共に、型抜き成型時のダレ面が前記複数の絞り羽根と接するように支持することを特徴とする請求項１又は２に記載の光量調整装置。
【請求項４】
前記ガイド部材は、前記複数の絞り羽根と同一素材で構成されていると共に、羽根の厚さに比べ薄いシート材で形成されていることを特徴とする請求項３に記載の光量調整装置。
【請求項５】
前記複数の絞り羽根は、それぞれ羽根表面に第１の突起が、羽根裏面に第２の突起が形成され、
前記第１の突起は、前記第１の基板に形成されたガイド溝と嵌合し、
前記第２の突起は、前記駆動リングに形成された嵌合孔に嵌合していることを特徴とする請求項１乃至４のいずれか１項に記載の光量調整装置。
【請求項６】
前記第１の基板と複数の絞り羽根との間には、羽根を開閉自在に案内する摺動リングが設けられていることを特徴とする請求項５に記載の光量調整装置。
【請求項７】
前記摺動リングと、複数の絞り羽根と、ガイド部材とは、それぞれ合成樹脂シートの型抜き成形で形成されていることを特徴とする請求項６に記載の光量調整装置。
【請求項８】
前記ガイド部材は、前記駆動リングと一体に形成されていることを特徴とする請求項１に記載の光量調整装置。
【発明の詳細な説明】
【技術分野】
【０００１】
本発明はビデオカメラ、スチールカメラなどの撮像装置、或いはプロジェクタその他の投影装置に内蔵され、撮影光量、投映光量などの光量を調整する光量調整装置に関する。
【背景技術】
【０００２】
一般に、この種の光量調整装置は、撮影光路（或いは投影光路）に光軸開口を有する基板を配置し、この基板に複数枚の光量調節羽根を開閉自在に配置して光軸開口を大口径又は小口径に光量調整する装置として知られている。
【０００３】
例えば特許文献１には、基板に形成した光軸開口の周囲に複数枚の羽根を配置し、光路口径を小径から大径まで相似形で開閉する虹彩絞り装置が開示されている。このような絞り装置は、多数枚の羽根で円形状に近い口径で多段階に光量調整する特徴が知られている。
【０００４】
同文献には、中央に光路開口を有する上下一対のリング状基板の間に複数の絞り羽根を配置し、この複数の絞り羽根を基板の一方に設けた駆動ユニットで開閉する開閉機構が開示されている。
【０００５】
また特許文献２には、文献１と同様にリング形状に形成した基板間に複数の絞り羽根を配置し、基板の一方に設けた駆動ユニットで羽根を開閉動する装置が開示されている。
このように光路開口の周囲に複数の羽根を鱗状に配置し、基板の一方に設けた駆動ユニットで開閉動する装置は広く知られている。
【０００６】
そして複数の羽根を開閉動する機構は、基板に羽根の運動軌跡に沿ってガイド溝を設け、このガイド溝に羽根に植設したピンを嵌合し、他方の基板に設けた伝動リングで羽根を所定方向に回動させることによって複数の羽根の運動を規制している。このため羽根を支持する基板には羽根の枚数に応じたガイド溝が光路開口の周縁に配置されている。このガイド溝の構造は特許文献１の図４に開示されている。
【先行技術文献】
【特許文献】
【０００７】
【特許文献１】特開２００９−２０４３８号公報
【特許文献２】特開２００６−３２２９７９号公報
【発明の概要】
【発明が解決しようとする課題】
【０００８】
上述のように、光路開口を有する上下一対の基板間に複数の羽根を開閉自在に配置し、この複数の絞り羽根で光路口径を大小調節する絞り装置は、特許文献１、２などで既に知られている。この場合、複数の絞り羽根を同時に開閉動させるため基板の一方に駆動リングを回動自在に配置し、この駆動リングと各羽根部材をピン−スリット結合で連結して開閉駆動する開閉機構が知られている。
【０００９】
従来の開閉機構は、駆動リングの１個所にアームを設け、このアームを電磁駆動装置などの駆動源に連結した伝動レバーに連結するアーム伝動機構と、駆動源に連結した回転軸に駆動歯車を設け、この駆動歯車と噛合する歯形を駆動リングに形成する歯車伝動機構が知られている。
【００１０】
前者のアーム伝動機構は光路開口の周囲に回動リングを設け、このリングから開口の外側にアームを張り出させて駆動装置に連結しているため装置が開口外側に大径化する問題が知られている。また後者の歯車伝動による羽根開閉機構は、光路開口の周囲に設けた回動リングと駆動装置を歯車連結しているため、この歯車結合部がリングの外側に突出して装置が大径化する問題が知られている。
【００１１】
そこで、歯車伝動機構で駆動リングの外周の一部に光路中心側に凹陥部（切欠き）を設け、この凹陥部内に歯車連結部を配置することが試みられている。このような伝動構造では、駆動リングの外側に歯車連結部が突出することがないため装置の小径化が可能となる。
【００１２】
図１１に歯車伝動機構を示すが、上下一対の基板１００ａ、１００ｂ間に羽根１０１を支持し、この一方の基板に駆動リング１０２を回動自在に配置し、この駆動リングの一部を切り欠いて凹陥部１０５を形成し、この切欠き凹陥部１０５の端面に歯型１０８を形成して駆動装置（不図示）の駆動歯車１０９を噛合すると次の問題がある。
【００１３】
駆動リング１０２に形成されている切欠き凹陥部１０５に羽根が図１１（ｂ）のように反り返って没入することがある。つまり羽根１０１は一方の基板１００ａと駆動リング１０２の間に挟まれて開閉自在に支持され、この駆動リングの一部には切欠き凹陥部１０５が設けられているため、この切欠き凹陥部に開閉軌跡が位置する羽根は部分的に反り返って凹陥部内に没入することがある。その状態を同図（ｂ）に示すが、羽根の基端部が切欠き凹陥部内に没入すると、羽根先端は浮き上がって他の羽根先端と干渉する問題と、図示するように羽根の突起１０６と基板のガイド溝１０７を嵌合する機構の場合には嵌合部で円滑な運動が妨げられる。
【００１４】
この場合、駆動リングの切欠き凹陥部を羽根の開閉軌跡の外側に形成すれば、羽根の没入は避けられるが、駆動リングが羽根の運動軌跡の外側にまで大径化し、羽根との摺動摩擦が増大するのと同時に絞り装置の大型化を招き、これを組み込む撮像装置の鏡筒が大きくなる問題をもたらす。
【００１５】
本発明は、光路開口を開閉する複数の絞り羽根を駆動リングで開閉する際に羽根とリングとの摺動摩擦を小さくすると共に、羽根が反り返り変形することなく円滑な開閉運動が得られる光量調整装置の提供をその課題としている。
【課題を解決するための手段】
【００１６】
上記課題を達成するため本発明は、光路開口を有する第１第２の基板間に複数の絞り羽根と、これを開閉する駆動リングを開閉動可能に支持し、リング形状の駆動リングに羽根の開閉軌跡内に凹陥する切欠き部と、その切欠き端面に形成した受動歯形部とを設け、この受動歯形部と駆動装置の駆動歯車とを噛合する。このとき駆動リングの切欠き部と羽根との間に切欠き部の羽根をバックアップ支持するガイド部材を設けることを特徴としている。
【００１７】
更にその構成を詳述するに、光路開口（１２）を有する一対の第１第２の基板（１１、４１）と、第１の基板に配置され光路開口の通過光量を調節する複数の絞り羽根（２１）と、第２の基板に所定の回転角度で回動自在に配置され複数の絞り羽根を開閉するリング形状の駆動リング（３１）と、駆動リングを回転駆動する駆動手段（Ｍ）とを備える。
【００１８】
上記一対の基板と絞り羽根と駆動リングとは、略中央に光路開口を形成して第１の基板、絞り羽根、駆動リング、第２の基板の順に積層状に重ね合わせられ、駆動手段は、第２の基板に取付けられ、駆動回転軸（５２）と、この駆動回転軸の回転を駆動リングに伝達する駆動歯車（５３）と、で構成され、駆動リングには、絞り羽根の開閉軌跡内に凹陥する切欠き部（３５）と、この切欠き部の端面に形成され駆動歯車と噛合する受動歯形部（３５ｇ）とを設け、駆動リングの切欠き部と絞り羽根との間には、切欠き部に羽根の没入を阻止するように羽根をバックアップ支持するガイド部材（後述の第２摺動リング３６、カバー部材３９）を設ける。
【発明の効果】
【００１９】
本発明は、光路開口を有する第１第２の基板間に複数の絞り羽根と、これを開閉する駆動リングを支持し、この駆動リングに羽根の開閉軌跡内に凹陥する切欠き部を設けて切欠き端面に受動歯形部を形成し、この受動歯形部と駆動装置の駆動歯車とを噛合する際に、駆動リングの切欠き部と羽根との間に羽根をバックアップ支持するガイド部材を設けたものであるから以下の効果を奏する。
【００２０】
駆動リングは絞り羽根の開閉軌跡内に凹陥する切欠き部に駆動歯車と噛合する受動歯形部を設けているから、駆動リングは複数の絞り羽根の開閉軌跡内に小径に構成することが可能である。これによって光路開口の周囲に開閉自在に配置した複数の絞り羽根と駆動リングとの間の摩擦を軽減することが出来、羽根を開閉する駆動装置を小型で省消費電力に構成することが出来る。
【００２１】
また、駆動リングに形成される切欠き部には、羽根の没入を阻止するガイド部材が羽根をバックアップ支持するように配置されているから、羽根の端部が切欠き凹陥部に没入して反り返ることがない。これによって羽根の反り返りによる羽根先端部の浮き上がりと羽根基端部の運動規制ガイド（ガイド溝など）との係合不良が生ずることがなく、羽根の円滑な開閉動作が可能である。
【００２２】
これと共に、複数の絞り羽根を樹脂シートなどの打ち抜き成型で、薄く軽量に構成することが出来、これによる羽根の反り返りを招くことがない。
【００２３】
更に、本発明はガイド部材を樹脂、金属などのプレート形状で羽根と駆動リングとの間に介在させることにより、羽根と駆動リングが互いに接することがない。これによって例えば駆動リングを金属プレートのプレス成型で構成してもバリなどの影響で羽根の運動が阻害されることがない。
【図面の簡単な説明】
【００２４】
【図１】本発明に係わる光量調整装置の組立分解図。
【図２】図１の装置における第１基板（地板）と羽根の組立て分解状態の斜視説明図。
【図３】図１の装置における第２基板（押さえ板）と羽根の組立て分解状態の斜視説明図。
【図４】図１の装置における各構成の平面状態を示し、（ａ）は第１基板（地板）を、（ｂ）は第１摺動リングを示す。
【図５】図１の装置における各構成の平面状態を示し、（ａ）は駆動リングを、（ｂ）はガイド部材（第２摺動リング）を示す。
【図６】図１の装置における要部構成を示し、（ａ）は要部断面説明図、（ｂ）は要部平面説明図。
【図７】図１乃至図６に示すガイド部材（第２摺動リング）とは異なる実施形態を示す。
【図８】図１の装置における絞り羽根の開閉状態を示し、（ａ）は絞り羽根の組み合わせ状態を、（ｂ）は羽根の開閉軌跡を示す説明図。
【図９】図１の装置における羽根と地板との結合状態の説明図であり、（ａ）は羽根の形状を、（ｂ）は羽根と地板の結合状態を、（ｃ）は（ｂ）図の結合部の拡大説明図。
【図１０】図１の装置における電磁駆動ユニットの説明図。
【図１１】従来の羽根開閉機構の説明図であり、（ａ）はその構造を示し、（ｂ）は羽根が反り返った状態を示す。
【発明を実施するための形態】
【００２５】
以下図示の好適な実施の形態に基づいて本発明を説明する。図１は本発明に係わる光量調整装置Ａの組立分解図である。図１に示すように光量調整装置Ａは、第１基板組（地板組）１と、羽根組２と、駆動リング組３と、第２基板組４（押さえ板組）で構成されている。そして第１基板組１に羽根組２が組み込まれ、この羽根組２の上に駆動リング組３と第２基板組４が組み込まれている。このような構成によって羽根組２は第１基板組１と第２基板組４にサンドイッチ状に挟持され、第１第２基板組１，４を固定ビスで一体化（不図示）している。
【００２６】
［第１基板組の構成］
図２に従って第１基板組１の構成について説明する。第１基板組１は地板１１と第１摺動リング１５で構成されている。この地板１１は、光路開口１２の口径（最大口径）を規制するのと同時にこの光路口径を開閉する複数の絞り羽根２１を開閉自在に支持する。また、第１摺動リング１５は、地板１１と絞り羽根２１との間に介在され地板１１と羽根が直接接触するのを避け、羽根の円滑な摺動を得る。以下各構成について説明する。
【００２７】
地板１１は図２にその斜視形状を、図４に平面形状を示すように光路開口１２を有するリング形状に形成されている。この地板１１の外径Ｄｘは撮像装置の鏡筒形状に適合するように設定され、光路開口１２の直径Ｄｙは撮像装置の光路径と一致するように設定されている。
【００２８】
上記地板１１は、金属、樹脂などで絞り装置に強靭性を持たせる材質・寸法に形成されている。特に図示の地板１１は、ガラス繊維などの強化繊維を混入した合成樹脂のモールド成形で形成している。これは地板１１を薄型で小型軽量に構成するのと同時に絞り羽根２１と後述する第１摺動リング１５に発生する静電気を接地するためである。
【００２９】
上述のように中央部に光路開口１２が設けられた地板１１には、開口周縁に絞り羽根を支持する羽根支持面１１ｘが設けられ、この支持面に後述する第１摺動リング１５を介して絞り羽根２１を支持する。このため、羽根支持面１１ｘは平坦面若しくは光路中心を中心とするリング状の凹凸面で構成する。また、羽根支持面１１ｘには、絞り羽根２１を開閉方向に案内（運動規制）するガイド溝１３が形成してある。このガイド溝１３の構成については後述する。図示１４は押さえ板４１を固定する連結突起であり、突起内部にネジ穴が形成してある。
【００３０】
「第１摺動リング」
第１摺動リング１５は、地板の羽根支持面１１ｘと絞り羽根２１との間に介在し、羽根部材が直接地板１１と接触するのを避け、羽根を円滑に開閉するために設けられている。この第１摺動リング１５は、後述する羽根部材２１との摩擦係数が小さい樹脂フィルムで形成されている。図示の第１摺動リング１５は羽根部材２１と同一素材で、例えばポリエチレン樹脂フィルム（ＰＰフィルム）の型抜き成形で形成されている。そして図４（ｂ）にその形状を示すように地板１１のガイド溝１３と一致するガイド溝１６が形成されている。このガイド溝１６については後述する。
【００３１】
従って、地板１１を樹脂のモールド成形で、第１摺動リング１５を樹脂フィルムの型抜き成形で形成する場合には、地板１１の形状精度に比べ摺動リング１５の形状精度を高精細に形成することが出来、また第１摺動リング１５の材質を絞り羽根２１と同一材質（同一耐電列）にすることによって羽根が摺動することによって静電気が発生することがない。これと共に熱変化などの温度特性は羽根部材と実質的に同一となる。図示のものは、第１摺動リング１５と後述する絞り羽根２１をポリエチレン樹脂（ＰＥＴフィルム）で構成している。
【００３２】
このように第１摺動リング１５は地板１１と略々同一形状に形成され、中央に位置する光路開口１２の周縁に複数の絞り羽根２１の基端部２１ｘを支持し、先端部２１ｙは光路開口内部に臨ませるように支持する（図８（ｂ）参照）。
【００３３】
［羽根組の構成］
羽根組２は、図２にその斜視構成を、図８に平面構成を示すが複数の絞り羽根２１ａ〜２１ｉで構成されている。図示の絞り羽根２１は、９枚の羽根で構成され、各羽根の形状は同一形状に形成されている。図９（ａ）に羽根形状の一例を示すが、基端部２１ｘは上述の第１摺動リング１５を介して地板１１に支持される。また羽根の先端部２１ｙは光路開口１２を開閉する。このとき複数の羽根部材の先端部２１ｘは互いに鱗状に重なり合って円形状の光路口径を形成する形状になっている。
【００３４】
各羽根部材２１ａ〜２１ｉには、図２に示すように第１の突起（ガイドピン）２２と第２の突起（作動ピン）２３が表裏に植設されている。このガイドピン２２は各羽根部材２１に地板１１側に面する位置に配置され、作動ピン２３はその反対面（後述する第２基板側）に配置されている。このガイドピン２２は後述するように地板１１のガイド溝１３と、第１摺動リング１５のガイド溝１６に嵌合し、作動ピン２３は後述する駆動リング３１の嵌合孔３３に嵌合する。なお、図示２４は羽根部材２１に第１第２の突起２２、２３を植設（例えば溶融接着）する際の位置決め孔であり、羽根外形状と第１第２の突起２２，２３の植設位置を設定するための位置決め孔である。
【００３５】
［ガイド溝とカイドピンの関係］
上述の地板１１に形成されたガイド溝１３と第１摺動リング１５に形成されたガイド溝１６と各羽根部材２１に形成されたガイドピン２２の関係について説明する。
【００３６】
地板１１のガイド溝１３は図９（ｂ）に示すように凹陥溝で構成され地板外部（同図矢印方向）の光が透過されない盲穴形状に形成されている。また地板１１をモールド成形で形成する関係から抜きテーパθが形成され、その平均内径はｄｃに設定されている。
【００３７】
また第１摺動リング１５のガイド溝１６は、内径ｄｂの貫通孔で形成されている。この貫通孔は樹脂フィルムの型抜き成形で均一径に形成されている。
【００３８】
一方、各絞り羽根２１にはガイドピン２２が植設され、その外径はｄａに設定されている。そこで、このピン外径ｄａとガイド溝内径ｄｂとの関係は、ｄａ≦ｄｂ＜ｄｃの関係に設定されている。つまり第１摺動リング１５のガイド溝１６は地板１１のガイド溝１３より狭小幅（ｄｂ＜ｄｃ）でガイドピン外径ｄａと適合する寸法（ｄａ≦ｄｂ）に設定されている。
【００３９】
従って同図に示すように各羽根部材２１に植設されたガイドピン２２は第１摺動リング１５のガイド溝１６と係合して運動規制され、地板１１のガイド溝１３とは接触しないこととなる。このためガイドピン２２はテーパθを有する地板１１のガイド溝１３と不安定に係合することがなく、これによって羽根部材２１が傾くことも、浮き上がることもない。
【００４０】
［第２基板組の構成］
図３に従って第２基板組４と駆動リング組３について説明する。第２基板組４は押さえ板４１と、補強板４２と、押さえ板に固定した駆動ユニットＭで構成されている。また駆動リング組３は、駆動リング３１と第２摺動リング３６で構成される。以下各構成について説明する。
【００４１】
「押さえ板」
押さえ板４１は図３に示すように中央部に開口４３を有するリング形状に形成され、前述の地板１１と略々同一形状に形成されている。図示の押さえ板４１は樹脂のモールド成形で、外周の一部に駆動ユニットＭの取付座４６が設けてある。この取付座４６に後述する駆動ユニットＭがビスなどで固定される。図示４５は押さえ板４１を地板１１の連結突起１４にビス止めする連結孔である。
【００４２】
「補強板」
補強板４２は、図３に示すように金属などの比較的強靭な板材で構成され、樹脂製の押さえ板４１を補強する。従って押さえ板４１に十分な強度が得られるときには補強板４２を省くことが可能である。この補強板４２は押さえ板４１と略々同一形状に形成され、中央に開口４４が形成してある。
【００４３】
上記押さえ板４１の開口４３と補強板４２の開口４４は、いずれも光路開口１２の開口径Ｄより大きく設定してあり、開口４３の開口径Ｄ１と開口４４の開口径Ｄ２と光路開口１２の開口径Ｄとは、Ｄ２≧Ｄ１＞Ｄに設定されている。
【００４４】
駆動リング組３は駆動モータ（後述の駆動ユニット）Ｍの駆動を絞り羽根２１に伝達する駆動リング３１と、第２摺動リング３６で構成されている。
【００４５】
「駆動リング」
駆動リング３１は図３に斜視構成を、図５（ａ）に平面構成を示すが、樹脂のモールド成形（金属のプレス成型であっても良い）で中央部に光路開口１２を有するリング形状いう）に形成されている。この駆動リング３１は、補強板４２を介して押さえ板４１に回動自在に取り付けられている。このため駆動リング３１には光路開口１２の周縁にフランジ３２と係合突起３４が形成してある。フランジ３２は押さえ板４１の開口４３と補強板４２の開口４４に嵌合し、光路開口１２の中心と一致する回転中心で回動するように嵌合されている。また係合突起３４はフランジ３２の周面に形成され、押さえ板４１の開口４３と補強板４２の開口４４に円滑に回動するように嵌合してある。この係合突起３４と共に駆動リング３１には係合突起３８が補強板４２と摺接する面に形成され両者を円滑に摺動するのを補助している。
【００４６】
［切欠き凹陥部の構成］
上述のように駆動リング３１は押さえ板４１に所定回転角度で回転自在に支持されている。この駆動リング３１には、図５（ａ）に示すように外周の一部に切欠き部３５が設けてある。この切欠き部３５は予め設定された角度範囲θを有する凹陥形状に形成されている。この切欠き部３５は、リング外径から光路中心Ｏ側に窪んだ凹形状で羽根の開閉軌跡内に配置してある（図６（ｂ）参照）。この切欠き部３５の端面には受動歯形部３５ｇが形成されている。この受動歯形部３５ｇには、押さえ板４１の取付座４６に取付けられた後述する駆動ユニットＭの駆動歯車５３と噛合する位置に設けられている。
【００４７】
従って駆動リング３１は切欠き部３５の受動歯形部３５ｇを駆動ユニットＭの駆動歯車５３で回転駆動することによって駆動リング３１は角度範囲θで正逆転することとなる。このとき光路開口１２の周囲に配置された絞り羽根２１の一部は切欠き部３５に部分的に位置した状態で開閉動することとなる。
【００４８】
上記駆動リング３１には、各絞り羽根２１ａ〜２１ｉに植設された作動ピン２３と嵌合する嵌合孔３３が光路開口１２の周縁に設けられている。この嵌合孔３３は絞り羽根２１の枚数に応じて光路開口１２の周縁に複数（図示のものは９個所）配置されている（図５参照）。
【００４９】
このような構成において駆動リング３１は、押さえ基板４１に回動自在に支持され、駆動ユニットＭの駆動歯車５３によって所定角度回転することとなる。そして駆動リング３１の回転は各羽根部材２１ａ〜２１ｉに伝達されることとなる。
【００５０】
そこで本発明は上述の駆動リング３１と絞り羽根２１との間に、駆動リングの切欠き凹陥部３５に羽根が部分的に没入して反り返るのを防止するため、羽根と切り欠き凹陥部３５との間に羽根をバックアップ支持する「ガイド部材」を配置する。この「ガイド部材」は図１乃至図６に示すように羽根と駆動リング３１との間に摺動リング３６を配置するか、図７に示すように駆動リング３１にカバー部材３９を設ける。順次その構成を説明する。
【００５１】
「第２摺動リング」
摺動リング３６（第２摺動リングという）は、図５（ｂ）に平面形状を、図６（ａ）に断面形状を示す。図５（ｂ）に示すように第２摺動リング３６は中央に光路開口を備え略々駆動リング３１と同一形状に形成されている。そしてこの摺動リング３６には、駆動リング３１の嵌合孔３３と合致する位置に嵌合孔３７が設けてある。この嵌合孔３７と嵌合孔３３には、絞り羽根２１の第２の突起（作動ピン）２３が嵌合する。
【００５２】
図示の摺動リング３６は、羽根と同一素材、例えばポリエチレン樹脂（ＰＥＴフィルム）で型抜き成形してある。これは摺動リング３６と絞り羽根２１が同一素材で帯電列が同一であるため、羽根の摺動によって両者間に静電気が発生することがないためである。また図６（ａ）に示すように羽根の厚さｔ１に対して摺動リング３６の厚さｔ２を、ｔ１＞ｔ２に設定してある。
【００５３】
このように摺動リング３６には切欠き凹陥部３５が羽根の開閉軌跡内に凹陥形状に配置され、この切欠き凹陥部３５を覆うように第２摺動リング３６が配置されている。これは羽根部材２１が切欠き凹陥部３５内に没入し、羽根が反り返るのを防止するためである。このため第２摺動リング３６は少なくとも駆動リング３１の切欠き凹陥部３５を覆う形状と、その位置に配置する。
【００５４】
［ガイド部材の異なる実施形態］
図７はガイド部材の異なる実施形態を示し、先の実施形態と同一の構成については同一符合を付して説明を省略する。駆動リング３１の切欠き凹陥部３５には、絞り羽根２１をバックアップ支持するようにカバー部材３９が設けられている。図示のカバー部材３９は駆動リング３１に一体形成してある。この他、カバー部材３９は樹脂フィルム片などで構成し、駆動リング３１に接着剤で添着しても良い。
【００５５】
［駆動ユニットＭ］
図１０に駆動ユニットＭの一実施形態を示す。同図の駆動ユニットＭはマグネットロータ５０と、ステータコイル５１と駆動回転軸５２と、駆動歯車５３と、ヨーク５４で構成されている。マグネットロータ５０は駆動回転軸５２と永久磁石５６を一体化して構成され、駆動回転軸５２の両端部はコイル枠５５に軸受け支持されている。永久磁石５６は外周にＮＳ２極が形成され、駆動回転軸５２には駆動歯車５３が取り付けられている。また、ステータコイル５１はコイル枠５５と、これに巻回されたコイル５８で構成されている。このコイル枠５５は内部にロータを内蔵するため、左右若しくは上下に２分割されている。このコイル枠５５にはブラケット５７が一体形成され、外周にヨーク５４が嵌装されている。
【００５６】
このような構成で、コイル５８に通電するとマグネットロータ５０は時計方向若しくは反時計方向に所定角度正逆転し、駆動歯車５３を正逆転する。このように構成された駆動ユニットＭは押さえ板４１の取付座４６にブラケット５７をネジなどで固定する。そして駆動歯車５３を駆動リング３１の受動歯形部３５に噛合する。これによって駆動リング３１は、図５（ａ）時計方向と反時計方向に所定角度往復動し、絞り羽根２１を開閉動する。
【００５７】
［組立て状態の説明］
図１に従って光量調整装置Ａの組み立て状態を説明する。上述のように構成された地板１１に第１摺動リング１５を重ね合わせる。このとき地板１１に設けた位置決めピン１７が第１摺動リング１５の位置決め孔１８に嵌合して両者の位置決めがなされる。
【００５８】
地板１１と第１摺動リング１５を重ね合わせて、摺動リング１５上に第１〜第９絞り羽根２１ａ〜２１ｉを図２に示すように重ね合わせる。このとき各羽根部材２１のガイドピン２２をガイド溝１３とガイド溝１６に嵌合する。
【００５９】
次いで、図３に示すように各羽根部材２１の上に第２摺動リング３６を重ね合わせ、各羽根部材２１ａ〜２１ｉの作動ピン２３をリング側の嵌合孔３７に嵌合する。そこで押さえ板４１に補強板４２を重ね合わせて第２摺動リング３６上に重ね合わせる。このとき押さえ板４１にマウントした駆動ユニットＭの駆動歯車５３を駆動リング３１の切欠き凹陥部３５と噛合させる。
【００６０】
そこで地板１１と押さえ板４１を固定ビスで固定する。これによって地板１１、第１摺動リング１５、羽根部材２１、第２摺動リング３６、駆動リング３１、補強板４２、押さえ板４１が順次上方に重ね合わせられ、一体化される。
【００６１】
［羽根の開閉動作］
次に、図８に従って絞り羽根の開閉動作について説明する。同図（ａ）は光路開口１２の周囲に複数の絞り羽根を配置した状態を示し、（ｂ）はこの複数の羽根の１枚の開閉動作状態を示す。同図（ａ）のように光路開口１２の周囲には、光路中心Ｏを基準に所定角度隔てた位置（図示のものは９枚の羽根を角度４０度ずつ隔てた位置）に複数の絞り羽根２１ａ〜２１ｉが鱗状に配置されている。各絞り羽根２１ａ〜２１ｉは地板１１に形成したガイド溝１６に第１の突起（ガイドピン）２２が嵌合してある。これと共に各絞り羽根２１に形成された第２の突起（作動ピン）２３は、駆動リング３１の嵌合孔３３に嵌合されている。
【００６２】
そして駆動リング３１は光路中心Ｏを中心に前述の駆動ユニットＭによって所定角度範囲で時計方向と反時計方向に回転する。このときの羽根の開閉動作を同図（ｂ）に従って説明する。作動ピン２３は駆動リング３１の回転で図示光路中心Ｏから半径Ｌの円弧軌跡ｘ−ｘで図示ｃ点からｄ点に同図時計方向に回転移動する。またガイドピン２２はガイド溝１６に沿って図示ｙ−ｙ軌跡でａ点からｂ点に移動する。
【００６３】
この作動ピン２３とガイドピン２２の移動で絞り羽根２１は同図実線（オープン状態）から同図破線（クローズ状態）に開閉動する。なお図示の装置はクローズ状態のとき光路開口１２は小口径の小絞り状態に設定され、オープン状態のときには全開状態に設定されている。従って駆動ユニットＭに供給する電流に応じて絞り羽根２１は、小絞り状態から全開状態に任意の開口径で開閉し、光路を通過する光量を大小調整することとなる。
【符号の説明】
【００６４】
Ａ          光量調整装置
１          第１基板組（地板組）
２          羽根組
３          駆動リング組
４          第２基板組（押さえ板組）
１１        地板
１２        光路開口
１３        ガイド溝
１５        第１摺動リング
１６        ガイド溝
２１        絞り羽根（羽根部材）２１ａ〜２１ｉ
２１ｘ      基端部
２１ｙ      先端部
２２        第１の突起（ガイドピン）
２３        第２の突起（作動ピン）
３１        駆動リング
３５        切欠き部
３５ｇ      受動歯形部
３６        第２摺動リング
３９        カバー部材
４１        押さえ板
４２        補強板
５３        駆動歯車
Ｍ          駆動ユニット
【図１】
2012112999.tif 000003
【図２】
2012112999.tif 000004
【図３】
2012112999.tif 000005
【図４】
2012112999.tif 000006
【図５】
2012112999.tif 000007
【図６】
2012112999.tif 000008
【図７】
2012112999.tif 000009
【図８】
2012112999.tif 000010
【図９】
2012112999.tif 000011
【図１０】
2012112999.tif 000012
【図１１】
2012112999.tif 000013